(57)【特許請求の範囲】
【請求項１】
照明灯を備える支柱の外周面側への事後的な配置を可能とすべく半割された一側抱持片部と他側抱持片部とをヒンジを介して開閉自在に連結させた抱持体と、
該抱持体の開閉方向での両開放縁部寄りにフィルム状太陽電池を位置固定する固定金具と、
これらの固定金具を介して位置固定された状態のもとで前記抱持体の閉止時にその外表面を覆うように配置されるフィルム状太陽電池と、
前記支柱に対し対向二方向から配置される一側連結金具片部と他側連結金具片部とを備え、かつ、前記フィルム状太陽電池ともども前記抱持体を閉止して支柱の前記外周面から浮かせた状態のもとで配置する際にその上下方向から連結支持すべく該支柱に位置固定される上下一対の連結金具と、
これら各連結金具における外壁部の上縁部と下縁部とを介して支柱の前記外周面との間に各別に嵌合配置される拡開可能な切断部を有してなる振動吸収材とで構成したことを特徴とする太陽電池ユニット。
【請求項２】
前記連結金具は、その中央位置での前記抱持体側の連結支持のほか、該抱持体側と同じ構造を具備させた受光体または前記フィルム状太陽電池を中空体の外周面に付設してなる受光体を前記抱持体側の両隣に配置して上下方向から前記抱持体ともども支持すべく、前記一側連結金具片部の両隣に半割された一側支持金具片部を備える一側金具体と、前記他側連結金具片部の両隣に半割された他側支持金具片部を備える他側金具体との組み合わせで形成した請求項１に記載の太陽電池ユニット。
【請求項３】
請求項１または２に記載の太陽電池ユニットのほか、該太陽電池ユニットが生成する電力を蓄電して制御可能に給電する蓄電制御ユニットを介しての制御された電力供給を受けて点灯制御されるＬＥＤを前記照明灯として前記支柱に具備させたこと特徴とする照明装置。
【請求項４】
請求項１または２に記載の太陽電池ユニットは、前記支柱の長さ方向に多段連結して配置した請求項３に記載の照明装置。
【発明の詳細な説明】
【技術分野】
【０００１】
本発明は、フィルム状太陽電池を電源とするスタンドアローンタイプの街路灯や道路灯に好適な太陽電池ユニットおよび照明装置に関する技術である。
【背景技術】
【０００２】
近年、屋外に設置される照明装置には、太陽電池を用いて生成された電気を蓄電し、これを電源として光源であるＬＥＤへの給電を可能とするようにしたものも多く見受けられるようになってきている。
【０００３】
ところで、従来からあるこの種の太陽電池付きの照明装置は、路傍に立設された支柱と、該支柱の上端部に取り付けられた照明灯と、該照明灯の上方に位置する支柱の頂端側に取り付けられたパネル状太陽電池とを備えているのが一般的であった。
【０００４】
しかし、パネル状太陽電池による場合には、起電力を高めるためにその受光面積を広く確保しておく必要がある一方で、受光面への鳥の糞や塵埃の付着により起電力が低下したり、例えば台風や嵐が襲来した際に大きな風圧を受けて支柱との連結箇所が破壊されてしまうなどの問題があった。
【０００５】
また、パネル状太陽電池は、その表面を保護するのためにフラットなガラス板で覆う必要があることから、重量化を招いてしまうほか、反射光による眩しさを近隣の人々に感じさせたり、ガラス板が衝撃を受けた際に割れて飛散する危険があるなどの問題もあった。
【０００６】
下記特許文献１には、パネル状太陽電池を電源とする場合に見受けられる上記問題点を解決するものとして、風圧に強い安全な太陽電池付きの照明装置がに開示されている。
【先行技術文献】
【特許文献】
【０００７】
【特許文献１】特開２００９−９９１３号公報
【０００８】
上記特許文献１に開示されている太陽電池付きの照明装置は、支柱に発光部を設けた照明装置に適用される太陽電池装置であって、該太陽電池装置は、適度な可撓性を有する面状体で形成された受光部（フィルム状太陽電池）を備え、該受光部を支柱に巻き付けた巻回状態のもとで配設したことに特徴がある。
【０００９】
このため、特許文献１における受光部による場合には、支柱に巻回配置するだけで簡単に取り付けることができるほか、強風に煽られても従来のパネル式の受光部とは異なり、破損しずらくできるなどの効果を得ることができるとされている。
【発明の概要】
【発明が解決しようとする課題】
【００１０】
しかし、上記特許文献１の開示技術による場合には、可撓性を有する面状体で形成された受光部（フィルム状太陽電池）を支柱に巻回配置するものであることから、太陽とは直面しない支柱の裏側にも受光面の一部が位置して有効受光面積が少なくなる結果、それだけ起電力が落ちて十分な電力が確保できない不都合があった。
【００１１】
また、上記特許文献１の受光部（フィルム状太陽電池）は、支柱に巻回配置することができるとしても、実際には、支柱の周面に接離移動して当接する当接部を保持部材を介して支柱側に支持させた上で、当接部に取り付けられた被嵌体を介して受光部が支柱側に被嵌状態となって配設しなければならず、その取り付け構造が極めて複雑で作業性に劣るばかりでなく、コストアップをも招く不具合があった。
【００１２】
本発明は、従来技術にみられた上記課題に鑑み、支柱に対し簡単に取り付けることができるほか、スタンドアローンタイプの街路灯や道路灯に必要にして十分な電力を供給することができる太陽電池ユニットおよび照明装置を提供することに目的がある。
【課題を解決するための手段】
【００１３】
本発明は、上記目的を達成すべくなされたものであり、そのうちの第１の発明（太陽電池ユニット）は、照明灯を備える支柱の外周面側への事後的な配置を可能とすべく半割された一側抱持片部と他側抱持片部とをヒンジを介して開閉自在に連結させた抱持体と、該抱持体の開閉方向での両開放縁部寄りにフィルム状太陽電池を位置固定する固定金具と、これらの固定金具を介して位置固定された状態のもとで前記抱持体の閉止時にその外表面を覆うように配置されるフィルム状太陽電池と、前記支柱に対し対向二方向から配置される一側連結金具片部と他側連結金具片部とを備え、かつ、前記フィルム状太陽電池ともども前記抱持体を閉止して支柱の前記外周面から浮かせた状態のもとで配置する際にその上下方向から連結支持すべく該支柱に位置固定される上下一対の連結金具と、これら各連結金具における外壁部の上縁部と下縁部とを介して支柱の前記外周面との間に各別に嵌合配置される拡開可能な切断部を有してなる振動吸収材とで構成したことを最も主要な特徴とする。
【００１４】
この場合、前記連結金具は、その中央位置での前記抱持体側の連結支持のほか、該抱持体側と同じ構造を具備させた受光体または前記フィルム状太陽電池を中空体の外周面に付設してなる受光体を前記抱持体側の両隣に配置して上下方向から前記抱持体ともども支持すべく、前記一側連結金具片部の両隣に半割された一側支持金具片部を備える一側金具体と、前記他側連結金具片部の両隣に半割された他側支持金具片部を備える他側金具体との組み合わせで形成することもできる。
【００１５】
また、第２の発明（照明装置）は、請求項１または２に記載の太陽電池ユニットと、該太陽電池ユニットが生成する電力を蓄電して制御可能に給電する蓄電制御ユニットを介しての制御された電力供給を受けて点灯制御されるＬＥＤを前記照明灯として前記支柱に具備させたことを最も主要な特徴とする。
【００１６】
この場合、請求項１または２に記載の太陽電池ユニットは、前記支柱の長さ方向に多段連結して配置しておくこともできる。
【発明の効果】
【００１７】
請求項１に係る発明によれば、開閉自在な抱持体の外周面に単にフィルム状太陽電池を配置し、連結金具を介して支柱に太陽電池ユニットとして簡単に取り付けることができるほか、太陽とは直面しない支柱の裏側を除く周面を受光面とする円筒状に形成して風に対する強度を高めてやることもできる。しかも、フィルム状太陽電池が取り付けられた抱持体は、連結金具を介して支柱の外周面側から浮かせることで支柱の外径よりも大径な状態で配置することができるので、それだけ起電面を広く確保することができる。また、各連結金具における外壁部の上縁部と下縁部とには、振動吸収材が各別に嵌合配置されているので、各種の振動を緩和しながら太陽電池ユニットをより安定的に支柱に取り付けておくことができる。
【００１８】
請求項２に係る発明によれば、抱持体のみならず、その両隣にもフィルム状太陽電池を外表面に備える受光体を配置することができるので、全体としての起電力をさらに高めてやることで、十分な電力を確保することができる。
【００１９】
請求項３に係る発明によれば、太陽電池ユニットと、該太陽電池ユニットが生成する電力を蓄電する蓄電制御ユニットとのほか、該蓄電制御ユニット側からの制御された電力供給を受けて点灯制御されるＬＥＤを照明灯として支柱に具備させることができるので、スタンドアローンタイプの街路灯や道路灯として好適な照明装置を提供することができる。
【００２０】
請求項４に係る発明によれば、太陽電池ユニットを支柱の長さ方向に多段連結して配置することでその起電力をより高めてやることができるので、照明灯が必要とする十分な電力を確保することができる。
【図面の簡単な説明】
【００２１】
【図１】第１の発明に係る太陽電池ユニットの一例を支柱側に取り付けて構成される第２の発明に係る照明装置の概要例を一部を分解した状態で示す要部斜視図。
【図２】第１の発明の構成部材である抱持体を分解した状態で示す説明図であり、そのうちの（ａ）は一側抱持片部側の平面形状を、（ｂ）は一側抱持片と他側抱持片部とを引き離した状態で示す説明図である。
【図３】第１の発明の構成部材であるフィルム状太陽電池の一例についての展開図。
【図４】フィルム状太陽電池を抱持体に取り付ける際に用いられる固定金具の一例を示す説明図であり、そのうちの（ａ）は一側固定金具片と他側固定金具片との一部を省略した正面図を、（ｂ）は一側固定金具片と他側固定金具片との断面図をそれぞれ示す。
【図５】図４に示す一側固定金具片と他側固定金具片とを固定金具として組み合わせた状態で示す説明図であり、そのうちの（ａ）は一部を省略した正面図を、（ｂ）はその断面図を、（ｃ）はフィルム状太陽電池を止着した状態での断面図をそれぞれ示す。
【図６】第１の発明における抱持体へのフィルム状太陽電池の配置例を示す平面図。
【図７】抱持体にフィルム状太陽電池を止着した状態で閉止させた際の状態を示す説明図であり、そのうちの（ａ）は平面図を、（ｂ）は正面図をそれぞれ示す。
【図８】第１の発明の構成部材である連結金具の一例をその組立て手順に従って示す斜視図であり、そのうちの（ａ）は一側連結金具片部と他側連結金具片部とに分解した状態を、（ｂ）は一側連結金具片部と他側連結金具片部とを組み合わせた際の振動吸収材との配置関係を、（ｃ）は連結金具に振動吸収材を取り付けた状態をそれぞれ示す。
【図９】図８に示す振動吸収材の具体的な構造例を示す説明図であり、そのうちの（ａ）は平面図を、（ｂ）は一部を断面とした正面図を、（ｃ）は振動吸収材を連結金具に取り付けた状態での一部を断面とした正面図をそれぞれ示す。
【図１０】抱持体側を連結金具により太陽電池ユニットとして支柱側に取付けた状態につき一部を破断して示す要部説明図。
【図１１】太陽電池ユニットの他例を支柱との関係で一部を分解して示す斜視図。
【図１２】第１の発明の構成部材である連結金具の他例をその組立て手順に従って示す斜視図であり、そのうちの（ａ）は一側連結金具片部側と他側連結金具片部側とに分解した状態を、（ｂ）は一側連結金具片部側と他側連結金具片部側とを組み合わせた際の振動吸収材との関係を、（ｃ）は連結金具に振動吸収材を取り付けた状態をそれぞれ示す。
【図１３】図１２に示す連結金具の詳細説明図であり、そのうちの（ａ）は平面図を、（ｂ）は一部を断面とした正面図をそれぞれ示す。
【図１４】第１の発明に係る太陽電池ユニットの他例を支柱側に取り付けて構成される第２の発明に係る照明装置の他例についての概要を示す斜視図。
【図１５】支柱が角柱である場合の連結金具の構成例を示す説明図であり、そのうちの（ａ）は平面図を、（ｂ）は一部を断面とした正面図を、（ｃ）は分解斜視図をそれぞれ示す。
【図１６】図１５に示す連結金具を用いた太陽電池ユニットの角柱への取り付け状態を示す要部斜視図。
【図１７】第２の発明の機能の一例を示すブロック図。
【発明を実施するための形態】
【００２２】
太陽電池ユニット１１（第１の発明）は、図１に示すようにＬＥＤを光源とする照明灯８４を備える支柱８２の外周面８３への事後的な配置を可能とすべく、図２に示されているように半割された一側抱持片部１３と他側抱持片部１４とをヒンジ１９を介して開閉自在に連結させた抱持体１２と、図６に示すように該抱持体１２の開閉方向での両開放縁部１３ａ，１４ａ寄りにフィルム状太陽電池２２を位置固定する固定金具３２と、これらの固定金具３２を介して位置固定された状態のもとで抱持体１２の閉止時にその外表面１２ａを覆うように配置される図３に示すようなフィルム状太陽電池２２と、図８に示すように半割となって支柱８２に対し対向二方向から配置される一側連結金具片部４３と他側連結金具片部５３とを備え、かつ、フィルム状太陽電池２２ともども抱持体１２を閉止して支柱８２の外周面８３から図１０に示すように浮かせた状態のもとで配置する際にその上下方向から連結支持すべく該支柱８２に位置固定される上下一対の連結金具４２，４２と、これら各連結金具４２における外壁部４５の上縁部４５ａと下縁部４５ｂとを介して支柱８２の外周面８３との間に各別に嵌合配置される拡開可能な切断部６２ａを有してなる図９に示す振動吸収材６２とで構成されている。
【００２３】
これらのうち、抱持体１２は、図２（ａ），（ｂ）に示されているようにその長さ方向での一方の側縁部の複数箇所、例えば３箇所に配置されるヒンジ１５を介して相互に開閉自在に連結される断面が半円形を呈するアルミニウム材などの適宜の部材からなる一側抱持片部１３と他側抱持片部１４とで形成されている。
【００２４】
また、ヒンジ１９を介しての連結位置とは反対側に位置する一側抱持片部１３の開放縁部１３ａと他側抱持片部１４の開放縁部１４ａとは、図６に示すように抱持体１２として閉止された際に相互に重なり合う配置関係のもとで延設されている。
【００２５】
この場合、一側抱持片部１３の開放縁部１３ａ寄りの長さ方向には、適宜間隔をおいた複数箇所に長円孔１５が穿設されている。
【００２６】
また、他側抱持片部１４の開放縁部１４ａ寄りの長さ方向には、一側抱持片部１３の長円孔１５と対向する位置関係のもとで円孔１７が穿設されている。
【００２７】
フィルム状太陽電池２２は、抱持体１２を閉止させた際にその外表面１２ａの面方向に追随するように撓ませながらその外表面１２ａを覆うことができる面サイズのもとで図３に示すような縦長の長方形形状を呈し、かつ、周囲の余白面に囲繞される配置関係のもとで起電面２５が形成されている。また、フィルム状太陽電池２２は、その余白面のうち、縦辺側での一側縁には一側余白縁部２３が、縦辺側での他側縁側には他側余白縁部２４が形成されている。
【００２８】
しかも、抱持体１２の開放縁部１３ａ寄りに対面させて配置される一側余白縁部２３には、長円孔１５と対面合致する位置に通孔２３ａが、抱持体１２の開放縁部１４ａ寄りに対面させて配置される他側余白縁部２４には、円孔１７と対面合致する位置に通孔２４ａがそれぞれ穿設されている。
【００２９】
したがって、フィルム状太陽電池２２は、抱持体１２を閉止させた際にその外表面１２ａの面方向に追随するように撓ませながら外表面１２ａに沿わせて覆うことができることになる。
【００３０】
また、抱持体１２に対するフィルム状太陽電池２２の位置固定は、図４（ａ），（ｂ）に示す一側固定金具片３３と他側固定金具片３６とで構成された一対の固定金具３２，３２を用いて行われる。
【００３１】
すなわち、一側固定金具片３３は、図４（ａ），（ｂ）において左側に示されているように一側抱持片部１３の縦寸よりやや短寸で、かつ、その下面３３ａに段差付き傾斜面３４を備えるとともに、一側抱持片部１３の長円孔１５と対向する位置に座付き通孔３５を設けて形成されている。
【００３２】
また、他側固定金具片３６は、図４（ａ），（ｂ）において右側に示されているように他側抱持片部１４の縦寸よりやや短寸で、かつ、その上面３６ａに一側固定金具片３３の段差付き傾斜面３４とはその傾斜方向が逆向きとなって相互が対面合致するように形成された段差付き傾斜面３７を備えるとともに、他側抱持片部１４の円孔１７と対向する位置に座付き通孔３８を設けて形成されている。
【００３３】
この場合、各固定金具３２は、フィルム状太陽電池２２の一側余白縁部２３を一側抱持片部１３の開放縁部１３ａ寄りに固定する際とフィルム状太陽電池２２の他側余白縁部２４を他側抱持片部１４の開放縁部１４ａ寄りに固定する際にそれぞれ用いられる。
【００３４】
すなわち、一側抱持片部１３の開放縁部１３ａ寄りと他側抱持片部１４の開放縁部１４ａ寄りとのそれぞれには、図６に示されているように段差付き傾斜面３７，３７の傾斜方向が相互に外側を向く配置関係のもとで他側固定金具片３６を各別に止着ネジ４０を一側抱持片部１３側に螺着して固定配置しておく。
【００３５】
この場合、一側抱持片部１３の開放縁部１３ａ寄りに螺着される他側固定金具片３６は、開放縁部１３ａが備える長円孔１５を介して周方向での位置調整を可能にして位置固定されることになる。
【００３６】
また、一側固定金具片３３は、図５（ｂ）に示されているようにその段差付き傾斜面３４を他側固定金具片３６の段差付き傾斜面３７に対面合致して密着するように下面３３ａをその上面３６ａに載置させた状態のもとで固定金具３２として組み合わされることになる。
【００３７】
この場合、フィルム状太陽電池２２は、例えば図５（ｃ）に示すようにその一側余白縁部２３が一側固定金具片３３の段差付き傾斜面３４と他側固定金具片３６の段差付き傾斜面３７との間に配置され、かつ、座付き通孔３５から止着ネジ４０を送り込んで通孔２３ａを挿通させた状態で他側固定金具片３６の螺孔３９に螺着することで位置固定されることになる。なお、フィルム状太陽電池２２の他側余白縁部２４も同様にして他側抱持片部１４の開放縁部１４ａ寄りの固定金具３２に止着ネジ４０を螺着することで位置固定することができる。
【００３８】
このため、抱持体１２とフィルム状太陽電池２２とは、図６および図７（ａ），（ｂ）に示すように円筒状となって一体的に組み合わせることができることになる。
【００３９】
一方、連結金具４２は、図１に示すように支柱８２が円柱である場合に図８（ａ）に示すように対向二方向から配置することができるように、鏡対称となって二分割された一側連結片部４３と他側連結片部５３とで構成されている。
【００４０】
その具体的な構造を一側連結片部４３を例に説明すれば、支柱８２の外周面８３の曲面に沿うように湾曲させた内壁部４４と、該内壁部４４の曲率に沿わせるようにしてその外方に配置される内壁部４４よりはその座高がやや低い外壁部４５と、これら内壁部４４と外壁部４５とをその上下方向の中間位置にて連結する水平連結部４６と、該水平連結部４６における内壁部４４寄りの両開放端にてその水平方向とは直交する上下方向に突設された垂直連結板部４７とを備えて形成されている。
【００４１】
しかも、内壁部４４の複数箇所には、ナット付き透孔４８が形成されており、該ナット付き透孔４５を介して送り込んだネジ材５１の先端部で支柱８２を押圧することができるようになっている。
【００４２】
また、各垂直連結板部４７の上下には、適宜の螺合構造が付与された通孔４９が形成されており、一側連結金具片部４３と他側連結金具片部５３とを対面合致させた際に通孔４９，４９相互をネジ材５１で一体的に連結することができるようになっている。なお、他側連結片部５３の具体的な構造は、一側連結金具片部４３と同一なので、一側連結金具片部４３との対応部位には図中に同一の参照符号のみを付してその説明を省略する。
【００４３】
一側連結金具片部４３と他側連結片部５３とを対面合致させて図８（ｂ）に示すように一体的に組み合わせて支柱８２側に配置した後の連結金具４２には、図９（ａ）に示すように切断部６２ａを有して拡開可能に形成された合成ゴムなどの弾性のある素材を用いて形成された振動吸収材６２が、その上下に各別に配置され、各振動吸収材６２を外壁部４５の上縁部４５ａと下縁部４５ｂとに各別に嵌合させることで、図８（ｃ）に示すようにその全体が一体化される。
【００４４】
この場合に用いられる振動吸収材６２は、図９（ａ），（ｂ）に示すように円筒部６３と、該円筒部６３の下部側の外周面６４に突設された上面を水平面６５ａとする段差部６５とを備えて形成されており、円筒部６３の上側部と段差部６５における水平面６５ａとの間で図９（ｃ）に示すように外壁部４５の下縁部４５ｂに嵌着することができるようになっている。
【００４５】
つまり、太陽電池ユニット１１は、支柱８２の上下に連結金具４２を各別に予め配置した後、図１に示すように開いた状態のもとで支柱８２の外周面８３を抱持するように配置した上で、図１０に示すように支柱８２の外周面８に対しフィルム状太陽電池２２を取り付けた抱持体１２を浮かせた状態のもとで連結金具４２を介して上下方向から支持させて配置することができることになる。
【００４６】
また、太陽電池ユニット１１側は、図７に示すような抱持体１２とフィルム状太陽電池２２とを組み合わせた構造を備えるもののほか、その両隣もに抱持体１２とフィルム状太陽電池２２とを組み合わせた構造を備えるもの２本を受光体７１として配置した図１１に示す３本仕立てとしたり、フィルム状太陽電池２２を抱持体１２ではなくより簡単な構造の一体成形品として形成された図示しない円筒体の外周面に付設してなる２本の受光体（図示せず）を両隣に配置した３本仕立てとすることで形成することもできる。
【００４７】
また、太陽電池ユニット１１側をこのように３本仕立てで形成する場合には、連結金具４２もこれに対応し得る構造を備えた例えば図１２に示すようなものが用いられることになる。
【００４８】
すなわち、この場合の連結金具４２としては、図１２および図１３に示すように既に説明した一側連結金具片部４３を中央に配置し、その両隣に配置した一側支持金具片部７４ともども連結部材７７を介して一体的に連結することで形成された一側金具体７３が用いられることになる。
【００４９】
この場合、一側支持金具片部７４は、内壁部４４と外壁部４５と水平連結部４６と垂直連結板部４７とを備えている点では一側連結金具片部４３と共通するが、内壁部４４にナット付き透孔を備えていない点と、内壁部４４の高さ方向での中間位置の内側に半円状の水平遮蔽板部７４ａを備えている点で一側連結金具片部４３と相違している。なお、半割となって一側連結金具片部４３等を備える一側金具体７３と鏡対称の状態で反対側に配置される他側連結片部５３等を備える他側金具体７５の具体的な構造は、一側連結金具片部４３等を備える一側金具体７３と同一構造を備えているので、一側連結金具片部４３等を備える一側金具体７３との対応部位には図中に同一の参照符号のみを付してその説明を省略する。
【００５０】
図１４は、図１２に示す太陽電池ユニット１１を用いて形成された第２の発明に係る照明装置８１を示す斜視図であり、ここでは、図１１に示すように太陽電池ユニット１１と受光体７１とが二段構成で配置された例が示されているが、１段構成としたり３段以上の多段構成として形成することもできる。
【００５１】
一方、図１６に示すように支柱８２が角柱である場合には、連結金具４２も図１５（ｃ）に示すように対向二方向から配置することができるように鏡対称となって二分割された一側連結片部４３と他側連結片部５３とで構成されることになる。
【００５２】
すなわち、図１５に示す連結金具４２は、図８に示す連結金具４２とは異なり内壁部４４を角柱形状に対応させるためにコ字状に形成されているものの、その余の構造は図８に示す連結金具４２と同一となっている。
【００５３】
一方、第２の発明として図１や図１４に示す照明装置８１は、図１７に示されているように既に説明した太陽電池ユニット１１と、該太陽電池ユニット１１が生成する電力が昇降圧回路９３と充電器９４とを経て蓄電される二次電池９５を備え、該二次電池９５から照明制御回路９６からの制御のもとで昇圧型定電流回路９７を経た電力供給を受けて点灯制御できる蓄電制御ユニット９２を介して点灯されるＬＥＤを照明灯８４として支柱８２にスタンドアローンとして具備させることで構成されている。
【００５４】
次に、支柱８２に対する太陽電池ユニット１１の取付け手順を図１に示す例について説明すれば、一側連結金具片部４３と他側連結金具片部５３とを対向二方向から支柱８２を挟むようにして組み合わせた上で、垂直連結板部４７，５７相互をネジ材５１を用いて連結することで連結金具４２として支柱８２側に配置することができる。
【００５５】
しかる後、連結金具４２は、支柱８２の適位置にまで移動させた上で、一側連結金具片部４３の内壁部４４が備えるナット付き透孔４８と他側連結金具片部５３の内壁部５４が備えるナット付き透孔５８とを介して外側からネジ材５１を送り込みながらその先端が圧接するように緊締することで、支柱４２に対し確実に固定することができる。
【００５６】
支柱８２に固定された連結金具４２に対しては、抱持体１２側を図１に示すように拡開させて支柱４２の周りに配置した後、図７に示す状態のもとでその下端側を連結金具４２の内壁部４４，５４と外壁部４５，５５との間に配置されている水平連結部４７，５６上に載置する。
【００５７】
抱持体１２側は、このようにして連結金具４２に下支えさせた後、同じ支柱８２に同様の手順を踏んで別の連結金具４２を配置し、該連結金具４２の４４，５４と外壁部４５，５５との間に配置されている水平連結部４７，５６を抱持体１２の上端側に当接させた状態で位置固定することで支柱８２に確実に取り付けることができる。
【００５８】
この場合、太陽電池ユニット１１は、抱持体１２における一側抱持片部１３の開放縁部１３ａと他側抱持片部１４の開放縁部１４ａとが図６に示すように相互に重なり合っている側が北側に位置するようにして配置されることになる。なお、太陽電池ユニット１１は、同様の手順を踏むことにより支柱８２の長さ方向に二段以上の多段に連結して配置することもできる。また、連結金具４２は、振動吸収材６２を介在させて支柱８２側に取り付けられているので、各種の振動を緩和しながら太陽電池ユニット１１をより安定的に支柱８２に取り付けておくことができる。
【００５９】
また、支柱８２に対する太陽電池ユニット１１の取付け手順を図１１および図１４に示す例について説明すれば、一側連結金具片部４３等を備える一側金具体７３と他側連結金具片部５３等を備える他側金具体７５とを対向二方向から支柱８２を挟むようにして組み合わせた上で、各垂直連結板部４７，５７相互をネジ材５１を用いて連結することで３連タイプの連結金具４２として支柱８２側に配置することができる。
【００６０】
しかる後、３連タイプの連結金具４２は、支柱８２の適位置にまで移動させた上で、一側連結金具片部４３の内壁部４４が備えるナット付き透孔４８と他側連結金具片部５３の内壁部５４が備えるナット付き透孔５８とを介して外側からネジ材５１を送り込みながらその先端が外周面８３に圧接するように緊締することで、支柱８２に対し確実に固定する。
【００６１】
支柱８２に固定された３連タイプの連結金具４２に対しては、抱持体１２側を図１１に示すように拡開させて支柱８２の周りに配置し、その下端側を連結金具４２の内壁部４４，５４と外壁部４５，５５との間に配置されている水平連結部４７，５６上に載置するとともに、その両隣には、各受光体７１の下端側を同様に内壁部４４，５４と外壁部４５，５５との間に配置されている水平連結部４７，５６上に載置する。なお、一側支持金具片７４が備える水平遮蔽板部７４ａと、他側水平支持金具片７６が備える水平遮蔽板部７６ａとは、相互を対面合致させた際に遮蔽板となって抱持体１２もしくは受光体７１内に鳥等が入り込まないようにするためのものである。
【００６２】
太陽電池ユニット１１と受光体７１とをこのようにして３連タイプの連結金具４２に下支えさせた後は、同じ支柱８２に同様の手順を踏んで別の三連タイプの連結金４２を配置し、一側連結金具片４３と他側連結金具片部５３とが備える内壁部４４，５４と外壁部４５，５５との間に配置されている水平連結部４６，５６を抱持体１２の上端側に当接させ、その両隣の受光体７１の上端側には、同様に内壁部４４，５４と外壁部４５，５５との間に配置されている水平連結部４７，５６を当接する。なお、太陽電池ユニット１１と受光体７１とは、同様の手順を踏むことにより支柱８２の長さ方向に二段以上の多段に連結して配置することもできる。また、この場合の連結金具４２も振動吸収材６２を介在させて支柱８２に取り付けられているので、各種の振動を緩和しながら太陽電池ユニット１１や受光体７１をより安定的に支柱に配置しておくことができる。
【００６３】
本発明は、このようにして構成されているので、太陽電池ユニット１１は、開閉自在な抱持体１２の外周面１２ａに単にフィルム状太陽電池２２を配置するだけで支柱８２に対し簡単に取り付けることができるほか、太陽とは直面しない支柱８２の裏側を除く周面を受光面とする円筒状に形成して風に対する強度を高めてやることもできる。しかも、フィルム状太陽電池２２が取り付けられた抱持体１２は、連結金具４２を介して支柱８２の外周面８３側から浮かせることで支柱８２の外径よりも大径な状態で配置することができるので、それだけ起電面２５を広く確保することができる。また、各連結金具４２における外壁部４５の上縁部４５ａと下縁部４５ｂとには、振動吸収材６２が各別に嵌合配置されているので、各種の振動を緩和しながら太陽電池ユニット１１をより安定的に支柱８２に取り付けておくことができる。
【００６４】
また、太陽電池ユニット１１のみならず、その両隣にもフィルム状太陽電池を外表面に備える受光体７１を配置する場合には、全体としての起電力をさらに高めてやることで、十分な電力を確保することができる。
【００６５】
さらに、太陽電池ユニット１１等のほか、該太陽電池ユニット１１等が生成する電力を蓄電して制御可能に給電する蓄電制御ユニット９２を介しての制御された電力供給を受けて点灯制御されるＬＥＤを照明灯８４として支柱８２に具備させことができるので、スタンドアローンタイプの街路灯や道路灯として好適な照明装置８１を提供することができる。
【００６６】
太陽電池ユニット１１等を支柱の長さ方向に多段連結して配置することで起電力を高めることができるので、照明灯８４が必要とする十分な電力を確保することができる。
【符号の説明】
【００６７】
１１  太陽電池ユニット
１２  抱持体
１２ａ  外表面
１３  一側抱持片部
１３ａ  開放縁部
１４  他側抱持片部
１４ａ  開放縁部
１５  長円孔
１７  円孔
１９  ヒンジ
２２  フィルム状太陽電池
２３  一側余白縁部
２３ａ  通孔
２４  他側余白縁部
２４ａ  通孔
２５  起電面
３２  固定金具
３３  一側固定金具片
３３ａ  下面
３４  段差付き傾斜面
３５  座付き通孔
３６  他側固定金具片
３６ａ上面
３７  段差付き傾斜面
３８  座付き通孔
３９  螺孔
４０  止着ネジ
４２  連結金具
４３  一側連結金具片部
４４  内壁部
４５  外壁部
４５ａ  上縁部
４５ｂ  下縁部
４６  水平連結部
４７  垂直連結板部
４８  ナット付き透孔
４９  通孔
５１  ネジ材
５３  他側連結金具片部
５４  内壁部
５５  外壁部
５５ａ  上縁部
５５ｂ  下縁部
５６  水平連結部
５７  垂直連結板部
５８  ナット付き透孔
５９  通孔
６２  振動吸収材
６２ａ  切断部
６３  円筒部
６４  外周面
６５  段差部
６５ａ  水平面
７１  受光体
７３  一側金具体
７４  一側支持金具片
７４ａ  水平遮蔽板部
７５  他側金具体
７６  他側支持金具片
７６ａ  水平遮蔽板部
７７  連結部材
８１  照明装置
８２  支柱
８３  外周面
８４  照明灯
９２  蓄電制御ユニット
９３  昇降圧回路
９４  充電器
９５  二次電池
９６  照明制御回路
９７  昇圧型定電流回路
【図１】
0005685092.tif 000002
【図２】
0005685092.tif 000003
【図３】
0005685092.tif 000004
【図４】
0005685092.tif 000005
【図５】
0005685092.tif 000006
【図６】
0005685092.tif 000007
【図７】
0005685092.tif 000008
【図８】
0005685092.tif 000009
【図９】
0005685092.tif 000010
【図１０】
0005685092.tif 000011
【図１１】
0005685092.tif 000012
【図１２】
0005685092.tif 000013
【図１３】
0005685092.tif 000014
【図１４】
0005685092.tif 000015
【図１５】
0005685092.tif 000016
【図１６】
0005685092.tif 000017
【図１７】
0005685092.tif 000018